【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】  第１のデータに対応する第１のサムネイルを生成する第１の生成手段と、
第２のデータに対応する第２のサムネイルを生成する第２の生成手段と、
仮想の開いた第１の線、仮想の閉じた第２の線、または仮想の第３の螺旋のいずれかの上に、選択されている前記第１のサムネイルが、前記第２のサムネイルの一部または全部の上側に重なるように、前記第１のサムネイルおよび前記第２のサムネイルの表示位置を指定する第１の指定手段と、
前記第１の指定手段により指定された位置に、前記第１のサムネイルおよび前記第２のサムネイルを表示するように表示を制御する第１の表示制御手段と
を含むことを特徴とする情報処理装置。
【請求項２】  仮想の開いた第４の線の上に、前記第１のサムネイルに対応する第１のテキスト、および前記第２のサムネイルに対応する第２のテキストの表示位置を指定する第２の指定手段と、
前記第２の指定手段により指定された位置に、前記第１のテキストおよび前記第２のテキストを表示するように表示を制御する第２の表示制御手段と
をさらに備えることを特徴とする請求項１に記載の情報処理装置。
【請求項３】  仮想の閉じた第４の線の上に、前記第１のサムネイルに対応する第１のテキスト、および前記第２のサムネイルに対応する第２のテキストの表示位置を指定する第２の指定手段と、
前記第２の指定手段により指定された位置に、前記第１のテキストおよび前記第２のテキストを表示するように表示を制御する第２の表示制御手段と
をさらに備えることを特徴とする請求項１に記載の情報処理装置。
【請求項４】  仮想の第４の螺旋の上に、前記第１のサムネイルに対応する第１のテキスト、および前記第２のサムネイルに対応する第２のテキストの表示位置を指定する第２の指定手段と、
前記第２の指定手段により指定された位置に、前記第１のテキストおよび前記第２のテキストを表示するように表示を制御する第２の表示制御手段と
をさらに備えることを特徴とする請求項１に記載の情報処理装置。
【請求項５】  仮想の開いた第１の線、仮想の閉じた第２の線、または仮想の第３の螺旋のうち少なくとも１つは、使用者が前記第１のサムネイルおよび前記第２のサムネイルを認識できる速度で、周期的に移動する
ことを特徴とする請求項１に記載の情報処理装置。
【請求項６】  前記第１の表示制御手段は、操作手段に対して行われた第１の操作または第２の操作に対応して、記録媒体に記録されているコンテンツに対応するサムネイルの表示を制御し、
前記操作手段に対して、第３の操作が行われたとき、前記第１の表示制御手段により、選択状態にその表示が制御されている前記サムネイルに対応するコンテンツを再生する再生手段と
をさらに備えることを特徴とする請求項１に記載の情報処理装置。
【請求項７】  前記再生手段により再生される前記コンテンツを利用するアプリケーションプログラムのアイコンの表示を、前記操作手段に対して行われた前記第１の操作または前記第２の操作に対応して制御する第２の表示制御手段と、
前記第２の表示制御手段により、所定のアプリケーションプログラムのアイコンの表示が、アクティブ状態に制御されている場合において、前記操作手段に対して前記第３の操作が行われたとき、アクティブ状態にアイコンの表示が制御されている前記所定のアプリケーションプログラムを起動させる起動手段と
をさらに備えることを特徴とする請求項６に記載の情報処理装置。
【請求項８】  前記起動手段は、前記第２の表示制御手段により、前記アプリケーションプログラムのアイコンのいずれの表示も、アクティブ状態に制御されていない場合において、前記操作手段に対して前記第３の操作が行われたとき、起動させた前記アプリケーションプログラムを終了する
ことを特徴とする請求項７に記載の情報処理装置。
【請求項９】  第１のデータに対応する第１のサムネイルを生成する第１の生成ステップと、
第２のデータに対応する第２のサムネイルを生成する第２の生成ステップと、
仮想の開いた第１の線、仮想の閉じた第２の線、または仮想の第３の螺旋のいずれかの上に、選択されている前記第１のサムネイルが、前記第２のサムネイルの一部または全部の上側に重なるように、前記第１のサムネイルおよび前記第２のサムネイルの表示位置を指定する指定ステップと、
前記指定ステップの処理により指定された位置に、前記第１のサムネイルおよび前記第２のサムネイルを表示するように表示を制御する第１の表示制御ステップと
を含むことを特徴とする情報処理方法。
【請求項１０】  前記第１の表示制御ステップは、操作手段に対して行われた第１の操作または第２の操作に対応して、記録媒体に記録されているコンテンツに対応する閲覧用画像の表示を制御し、
前記操作手段に対して、第３の操作が行われたとき、前記第１の表示制御ステップの処理で、選択状態にその表示が制御された前記閲覧用画像に対応するコンテンツを再生する再生ステップと
をさらに含むことを特徴とする請求項９に記載の情報処理方法。
【請求項１１】  アイコンに加えられた操作を検出する検出ステップと、
操作された前記アイコンが、使用者が認識できる速度で、所定の位置に向かって移動するように、所定の周期で前記アイコンの位置を算出する算出ステップと、
前記算出ステップの処理で算出された位置に、前記周期で前記アイコンを表示させるように表示を制御する第２の表示制御ステップと
をさらに含むことを特徴とする請求項９に記載の情報処理方法。
【請求項１２】  第１のデータに対応する第１のサムネイルを生成する第１の生成ステップと、
第２のデータに対応する第２のサムネイルを生成する第２の生成ステップと、
仮想の開いた第１の線、仮想の閉じた第２の線、または仮想の第３の螺旋のいずれかの上に、選択されている前記第１のサムネイルが、前記第２のサムネイルの一部または全部の上側に重なるように、前記第１のサムネイルおよび前記第２のサムネイルの表示位置を指定する指定ステップと、
前記指定ステップの処理により指定された位置に、前記第１のサムネイルおよび前記第２のサムネイルを表示するように表示を制御する表示制御ステップと
を含むことを特徴とするコンピュータが読み取り可能なプログラムが格納されているプログラム格納媒体。
【請求項１３】  操作手段による第１の操作、第２の操作、または第３の操作に対応して所定の処理を実行する情報処理装置を制御するプログラムであって、
前記操作手段に対して行われた前記第１の操作または前記第２の操作に対応して、記録媒体に記録されているコンテンツに対応する閲覧用画像の表示を制御する第１の表示制御ステップと、
前記操作手段に対して、前記第３の操作が行われたとき、前記第１の表示制御ステップの処理で、選択状態にその表示が制御された前記閲覧用画像に対応するコンテンツを再生する再生ステップとからなる
ことを特徴とするコンピュータが読み取り可能なプログラムが格納されているプログラム格納媒体。
【請求項１４】  アイコンに対するユーザ操作を検出する検出ステップと、
操作された前記アイコンが、使用者が認識できる速度で、所定の位置に向かって移動するように、所定の周期で前記アイコンの位置を算出する算出ステップと、
前記算出ステップの処理で算出された位置に、前記周期で前記アイコンを表示させるように表示を制御する第２の表示制御ステップと
をさらに含むことを特徴とするコンピュータが読み取り可能なプログラムが格納されている請求項１３に記載のプログラム格納媒体。
【手続補正２】
【補正対象書類名】明細書
【補正対象項目名】０００６
【補正方法】変更
【補正の内容】
【０００６】
【課題を解決するための手段】
本発明の情報処理装置は、第１のデータに対応する第１のサムネイルを生成する第１の生成手段と、第２のデータに対応する第２のサムネイルを生成する第２の生成手段と、仮想の開いた第１の線、仮想の閉じた第２の線、または仮想の第３の螺旋のいずれかの上に、選択されている第１のサムネイルが、第２のサムネイルの一部または全部の上側に重なるように、第１のサムネイルおよび第２のサムネイルの表示位置を指定する第１の指定手段と、第１の指定手段により指定された位置に、第１のサムネイルおよび第２のサムネイルを表示するように表示を制御する第１の表示制御手段とを含むことを特徴とする。
【手続補正３】
【補正対象書類名】明細書
【補正対象項目名】０００７
【補正方法】変更
【補正の内容】
【０００７】
仮想の開いた第４の線の上に、第１のサムネイルに対応する第１のテキスト、および第２のサムネイルに対応する第２のテキストの表示位置を指定する第２の指定手段と、第２の指定手段により指定された位置に、第１のテキストおよび第２のテキストを表示するように表示を制御する第２の表示制御手段とをさらに備えることができる。
【手続補正４】
【補正対象書類名】明細書
【補正対象項目名】０００８
【補正方法】変更
【補正の内容】
【０００８】
仮想の閉じた第４の線の上に、第１のサムネイルに対応する第１のテキスト、および第２のサムネイルに対応する第２のテキストの表示位置を指定する第２の指定手段と、第２の指定手段により指定された位置に、第１のテキストおよび第２のテキストを表示するように表示を制御する第２の表示制御手段とをさらに備えることができる。
【手続補正５】
【補正対象書類名】明細書
【補正対象項目名】０００９
【補正方法】変更
【補正の内容】
【０００９】
仮想の第４の螺旋の上に、第１のサムネイルに対応する第１のテキスト、および第２のサムネイルに対応する第２のテキストの表示位置を指定する第２の指定手段と、第２の指定手段により指定された位置に、第１のテキストおよび第２のテキストを表示するように表示を制御する第２の表示制御手段とをさらに備えることができる。
【手続補正６】
【補正対象書類名】明細書
【補正対象項目名】００１０
【補正方法】変更
【補正の内容】
【００１０】
仮想の開いた第１の線、仮想の閉じた第２の線、または仮想の第３の螺旋のうち少なくとも１つは、使用者が第１のサムネイルおよび第２のサムネイルを認識できる速度で、周期的に移動することができる。
【手続補正７】
【補正対象書類名】明細書
【補正対象項目名】００１１
【補正方法】変更
【補正の内容】
【００１１】
第１の表示制御手段は、操作手段に対して行われた第１の操作または第２の操作に対応して、記録媒体に記録されているコンテンツに対応するサムネイルの表示を制御し、操作手段に対して、第３の操作が行われたとき、第１の表示制御手段により、選択状態にその表示が制御されているサムネイルに対応するコンテンツを再生する再生手段とをさらに備えることができる。
【手続補正８】
【補正対象書類名】明細書
【補正対象項目名】００１２
【補正方法】変更
【補正の内容】
【００１２】
再生手段により再生されるコンテンツを利用するアプリケーションプログラムのアイコンの表示を、操作手段に対して行われた第１の操作または第２の操作に対応して制御する第２の表示制御手段と、第２の表示制御手段により、所定のアプリケーションプログラムのアイコンの表示が、アクティブ状態に制御されている場合において、操作手段に対して第３の操作が行われたとき、アクティブ状態にアイコンの表示が制御されている所定のアプリケーションプログラムを起動させる起動手段とをさらに備えることができる。
【手続補正９】
【補正対象書類名】明細書
【補正対象項目名】００１３
【補正方法】変更
【補正の内容】
【００１３】
起動手段は、第２の表示制御手段により、アプリケーションプログラムのアイコンのいずれの表示も、アクティブ状態に制御されていない場合において、操作手段に対して第３の操作が行われたとき、起動させたアプリケーションプログラムを終了することができる。
【手続補正１０】
【補正対象書類名】明細書
【補正対象項目名】００１４
【補正方法】変更
【補正の内容】
【００１４】
本発明の情報処理方法は、第１のデータに対応する第１のサムネイルを生成する第１の生成ステップと、第２のデータに対応する第２のサムネイルを生成する第２の生成ステップと、仮想の開いた第１の線、仮想の閉じた第２の線、または仮想の第３の螺旋のいずれかの上に、選択されている第１のサムネイルが、第２のサムネイルの一部または全部の上側に重なるように、第１のサムネイルおよび第２のサムネイルの表示位置を指定する指定ステップと、指定ステップの処理により指定された位置に、第１のサムネイルおよび第２のサムネイルを表示するように表示を制御する第１の表示制御ステップとを含むことを特徴とする。
【手続補正１１】
【補正対象書類名】明細書
【補正対象項目名】００１５
【補正方法】変更
【補正の内容】
【００１５】
第１の表示制御ステップは、操作手段に対して行われた第１の操作または第２の操作に対応して、記録媒体に記録されているコンテンツに対応する閲覧用画像の表示を制御し、操作手段に対して、第３の操作が行われたとき、第１の表示制御ステップの処理で、選択状態にその表示が制御された閲覧用画像に対応するコンテンツを再生する再生ステップとをさらに含むことができる。
アイコンに加えられた操作を検出する検出ステップと、操作されたアイコンが、使用者が認識できる速度で、所定の位置に向かって移動するように、所定の周期でアイコンの位置を算出する算出ステップと、算出ステップの処理で算出された位置に、周期でアイコンを表示させるように表示を制御する第２の表示制御ステップとをさらに含むことができる。
本発明の第１のプログラム格納媒体のプログラムは、第１のデータに対応する第１のサムネイルを生成する第１の生成ステップと、第２のデータに対応する第２のサムネイルを生成する第２の生成ステップと、仮想の開いた第１の線、仮想の閉じた第２の線、または仮想の第３の螺旋のいずれかの上に、選択されている第１のサムネイルが、第２のサムネイルの一部または全部の上側に重なるように、第１のサムネイルおよび第２のサムネイルの表示位置を指定する指定ステップと、指定ステップの処理により指定された位置に、第１のサムネイルおよび第２のサムネイルを表示するように表示を制御する表示制御ステップとを含むことを特徴とする。
本発明の情報処理装置および方法、並びに第１のプログラム格納媒体のプログラムにおいては、第１のデータに対応する第１のサムネイルが生成され、第２のデータに対応する第２のサムネイルが生成され、仮想の開いた第１の線、仮想の閉じた第２の線、または仮想の第３の螺旋のいずれかの上に、選択されている第１のサムネイルが、第２のサムネイルの一部または全部の上側に重なるように、第１のサムネイルおよび第２のサムネイルの表示位置が指定され、指定された位置に、第１のサムネイルおよび第２のサムネイルを表示するように表示が制御される。
本発明の第２のプログラム格納媒体のプログラムは、操作手段による第１の操作、第２の操作、または第３の操作に対応して所定の処理を実行する情報処理装置を制御するプログラムであって、操作手段に対して行われた第１の操作または第２の操作に対応して、記録媒体に記録されているコンテンツに対応する閲覧用画像の表示を制御する第１の表示制御ステップと、操作手段に対して、第３の操作が行われたとき、第１の表示制御ステップの処理で、選択状態にその表示が制御された閲覧用画像に対応するコンテンツを再生する再生ステップとからなることを特徴とする。
アイコンに対するユーザ操作を検出する検出ステップと、操作されたアイコンが、使用者が認識できる速度で、所定の位置に向かって移動するように、所定の周期でアイコンの位置を算出する算出ステップと、算出ステップの処理で算出された位置に、周期でアイコンを表示させるように表示を制御する第２の表示制御ステップとをさらに含むことができる。
本発明の第２のプログラム格納媒体のプログラムにおいては、操作手段に対して行われた第１の操作または第２の操作に対応して、記録媒体に記録されているコンテンツに対応する閲覧用画像の表示が制御され、操作手段に対して、第３の操作が行われたとき、選択状態にその表示が制御された閲覧用画像に対応するコンテンツが再生される。
【手続補正１２】
【補正対象書類名】明細書
【補正対象項目名】０２１０
【補正方法】変更
【補正の内容】
【０２１０】
【発明の効果】
本発明の情報処理装置および方法、並びにプログラム格納媒体によれば、容易にコンテンツを閲覧することができる。